(57)【要約】【課題】  基本ブロックに形成した十字溝に微妙な寸法誤差があったり湿度による膨縮現象があっても、木製の基本ブロック同士をきっちりと確実に結合することができる板状のジョイントを提供する。【解決手段】  ブロックの上面と下面に、当該基本ブロックの高さ方向を貫通しない深さの平面視十字状の溝（以下、十字溝という）を設けた基本ブロックと、前記十字溝の一辺長と同長の長辺と該長辺の１／２の短辺と前記溝に密に遊挿できる厚さとを有する長方形の板体による基本ジョイントと該基本ジョイントと幅が同じで長さが大きい板状のジョイントから成り、前記２種類の基本ブロックの複数個を、それらの十字溝に前記ジョイントを挿込んで連結するようにした組立てブロックおもちゃの前記ジョイントにおいて、当該ジョイントをプラスチックの成形体で形成すると共に、該成形体の表面に複数個の凸部を形成したこと。【選択図】図１
2017006605.tif 000002
【特許請求の範囲】
【請求項１】
平面正方形の立方体ブロック乃至該ブロックに近い木製の直方体ブロックと、前記ブロックを平面から見た一辺と同長の直径を有する木製の円柱体ブロックによる基本ブロックであって、該ブロックの上面と下面に、当該基本ブロックの高さ方向を貫通しない深さの平面視十字状の十字溝を設けた基本ブロックと、前記十字溝の一辺長と同長の長辺と前記一辺長の１／２と同長の短辺と前記溝に密に遊挿できる厚さとを有する長方形の板体による基本ジョイントと該基本ジョイントと幅が同じで長さが大きい板状ジョイントから成り、前記２種類の基本ブロックの複数個を、それらの十字溝に前記ジョイントを挿込んで連結するようにした組立てブロックおもちゃの前記ジョイントにおいて、当該ジョイントの本体をプラスチックの成形体で形成すると共に、該本体の表面に複数個の凸部を形成したことを特徴とする木製組立ブロックおもちゃ用のジョイント。
【請求項２】
凸部は、低いドーム状をなし、ジョイント本体の表裏両面又は片面に散在させて設けた請求項１に記載したジョイント。
【請求項３】
散在する凸部は、ジョイント本体の少なくとも長さ方向の両端部とその中間部、又は、前記中間部と両端部と該両部の間に設けた請求項１又は２に記載したジョイント。
【請求項４】
ジョイント本体の厚さは十字溝の幅より僅かに小さく、凸部を含む全体の厚さを前記十字溝より僅かに大きく形成した請求項１〜３のいずれかに記載したジョイント。
【請求項５】
ジョイントは、基本ジョイントの長さの整数倍の長さの板状に形成したものを含む請求項４に記載したジョイント。
【請求項６】
ジョイントは、幅方向両側の長辺をテーパ状の斜辺に形成した請求項１〜５のいずれかに記載したジョイント。
【請求項７】
ジョイントは、長さ方向の中間で略９０度曲げた断面Ｌ字状をなす請求項１〜５のいずれかに記載したジョイント。
【請求項８】
ジョイントは、長さ方向の中間部を軸方向において約４５度〜約９０度捩った形態を備えた請求項１〜５のいずれかに記載したジョイント。
【請求項９】
ジョイントは、その長さ方向両側の短辺に、前記基本ブロックの上，下両面に設けた十字溝の底が当該基本ブロックの外周面に露出する底部に嵌まる凹部を形成した請求項１〜８のいずれかに記載したジョイント。
【請求項１０】
請求項１〜９のいずれかのジョイントが結合する木製の基本ブロックは、複数個の立方体ブロックと該立方体ブロックの一辺長と直径及び高さを同じにした複数個の円柱体ブロックである木製組立ブロックおもちゃ用のジョイント。
【発明の詳細な説明】
【技術分野】
【０００１】  本発明は、木製ブロックを連結して様々な立体形像物を組立てるようにした木製の組立ブロックおもちゃにおいて、その木製ブロックを連結するためのジョイントに関する。
【背景技術】
【０００２】  本願の発明者は、先に、従来には全く見られなかった斬新な構造による木製の組立てブロックおもちゃを実用新案登録第３１９７２１４号として提案している。
この提案は、従来の組立てブロックおもちゃでは、ブロック自体に形成した凹凸関係での結合による組立てであるため、少ないブロック数で造型できる立体形像物に限界があって興趣に欠けること、並びに、ブロックの材質がプラスチック製であるため手触り感や見た目の温かみに欠ける点があること等に鑑み、考案されたものであった。【０００３】  提案したブロックおもちゃは、木製の立方体に近い直方体ブロックと該ブロックと同じ高さで当該ブロックの一辺と同長の直径を有する木製の短円柱状の円柱体ブロックを基本ブロックとし、該基本ブロックの上，下両面に、当該ブロックの高さ（厚さ）方向を貫通しない深さの十字溝を設けた基本ブロックと、該ブロックと同様に木製材料により前記十字溝の一辺長と同じ長さの長辺と該長辺の１／２長の短辺とを有する長方形で、前記十字路の溝に密に挿入できる厚さを有する板状の基本ジョイントと、該基本ジョイントより長さを大きく形成した長目の板状体による板状ジョイントから成り、前記基本ブロックの複数個を、それらの十字溝に前記ジョイントを挿し込んで連結することにより、様々な形態の木製の立体形像物を組立てることができるようにしたものである。【０００４】  上記の組立てブロックおもちゃは、木製複数個の基本ブロックを、その上下両面に設けられた十字溝に板状のジョイントを挿し込むことにより連結できるから、少ないブロック数で従来の組立てブロックおもちゃではできなかった様々な形態の立体形象物を作ることができるという画期的なものであるが、使用しているうちに問題のあることが判った。【０００５】  すなわち問題点は、先に述べた木製の基本ブロックでは、その上下面に形成される十字溝が木製ブロックゆえに鋸引き加工により形成されているが、木材は吸湿と乾燥のため溝幅にミリ単位での精度が出しにくいこと、及び、溝幅の精度が出ていても湿気の多寡によって溝幅が膨縮するため溝の寸法が固定されずに微妙に変化すること、更には、上記ブロックおもちゃでは十字溝に挿し込まれる板状ジョイントも木製であるため、湿気の多寡によりこのジョイントも膨縮し、前記溝幅の膨縮と相俟って十字溝と板状ブロックとの結合が上手くいかない場合があるという点である。【０００６】  この結果、本願の発明者が先に提案した木製の組立てブロックおもちゃは、湿気によって板状ジョイントと基本ブロックの十字溝との結合具合が緩くなってブロックとジョイントの結合が解けて組み立てたブロックが容易に動いたり脱落したりし、逆に結合がきつくなり過ぎて十字溝にジョイントが挿し込み難くかったり挿し込めず、無理に差し込んで十字溝を壊してしまう等の問題を派生した。
【先行技術文献】
【特許文献】
【０００７】
【特許文献１】特公年３−６８３０号公報
【特許文献２】特公年７−４７０６６号公報
【特許文献３】特開年９−２４１６５号公報
【特許文献４】登録実用新案３１９７２１４号公報
【発明の概要】
【発明が解決しようとする課題】
【０００８】  そこで、本発明が解決しようとする課題は、木製の複数個の基本ブロックを、それらの上，下両面に形成した十字溝に、板状ジョイントを挿込んで連結することにより、様々な立体形象物を造型できるようにした組立てブロックおもちゃにおいて、基本ブロックに形成した十字溝に微妙な寸法誤差があったり、湿度による膨縮現象があっても、木製の基本ブロック同士をきっちりと確実に結合することができる板状のジョイントを提供することにある。
【課題を解決するための手段】
【０００９】  上記課題を解決することを目的としてなされた本発明ジョイントの構成は、木製の平面正方形の立方体ブロック乃至該ブロックに近い直方体ブロックと、該ブロックを平面から見た一辺と同長の直径を有する木製の円柱体ブロックによる基本ブロックであって、該ブロックの上面と下面に、当該基本ブロックの高さ方向を貫通しない深さの平面視十字状の溝（以下、十字溝という）を設けた基本ブロックと、前記十字溝の一辺長と同長の長辺と該長辺の１／２の短辺と前記溝に密に遊挿できる厚さとを有する長方形の板体による基本ジョイントと該基本ジョイントと幅が同じで長さが大きい板状のジョイントから成り、前記２種類の基本ブロックの複数個を、それらの十字溝に前記ジョイントを挿込んで連結するようにした組立てブロックおもちゃの前記ジョイントにおいて、当該ジョイントをプラスチックの成形体で形成すると共に、該成形体の表面に複数個の凸部を形成したことを特徴とするものである。凸部の形態としては球面の一部乃至低いドーム状が望ましい。【００１０】  本発明においてプラスチック成形体のジョイントの表面に形成される凸部は、当該ジョイントの少なくとも長さ方向の両端とその中間部に設けるとよい。凸部の配置パターンとしては、両端部と中央部のほか、前記両端部と中央部及びそれらに挟まれた中間部に設けるパターンがある。また、ジョイントの幅方向に関する配置パターンとしては、幅方向の両側近傍又は両側近傍とその中間部の組合せのパターンがある。さらに前記各凸部は成形体の両面に設けることが好ましいが、片面であってもよい。前記凸部の配置パターンは上記例に限られるものではなく、要は、ジョイントの表面上に散在すればよい。なお、前記ジョイントは本体の板厚を、十字溝の幅よりわずかに小さく形成し、凸部の出っ張り量を含む全体の厚さを前記十字溝幅よりわずかに大きくすることが好ましい。【００１１】  上記態様で低いドーム状の凸部を設けた本発明ジョイントには、長さ方向の中間部で略９０度に曲げたＬ字状ジョイントや、長さ方向の中間部を略４５度捻った捻りジョイントを加えることにより、造型できる立体形象物の多様化を図ることができる。
【発明の効果】
【００１２】  本発明は、木製組立ブロックおもちゃの十字溝に挿入して前記ブロックを結合する板状のジョイントをプラスチックの成形体により形成すると共に、表面に微小高さの凸部を形成したことにより、前記木製ブロックの溝が湿度の多寡によって拡縮しても、プラスチック成形体のジョイントは寸法変化が実質上ゼロであるから、常に前記十字溝にピッタリと挿入することができると共に、木製の溝に差し込まれたジョイントは、表面の複数の低い球面凸部と溝の壁面とが多数の点接触をすることにより当該ジョイントと溝の適切な結合状態を実現することができる。また、ジョイントと溝の壁面の接触は面でないから、ジョイントで溝を割ることなく当該ジョイントを十字溝に嵌合することができる。
【図面の簡単な説明】
【００１３】
【図１】本発明ジョイントの第一例の平面図。
【図２】図１のジョイントの正面図。
【図３】本発明ジョイントの第二例の平面図。
【図４】図２のジョイントの正面図。
【図５】本発明ジョイントの第三例の斜視図。
【図６】本発明ジョイントの第四例の正面図。
【図７】図２のジョイントを中間部で９０度曲げた略Ｌ字状の本発明ジョイントの第五例の正面図。
【図８】図１のジョイントを長さ方向の中間部で４５度捩った形の本発明ジョイントの第六例の正面図。
【図９】図８のジョイントの平面図。
【図１０】本発明ジョイントを適用する略立方体状の木製ブロックの例の斜視図。
【図１１】本発明ジョイントを適用する略円柱体状の木製ブロックの例の斜視図。
【図１２】本発明ジョイントで図１０，図１１のブロックの複数個を結合して形成した立体形象物の一例の斜視図。
【図１３】本発明ジョイントで図１０，図１１のブロックの複数個を結合して形成した立体形象物の第二例の斜視図。
【図１４】図１２，図１３の立体形象物と同じ要領で組立てた立体形象物の第三例の斜視図。
【図１５】図１２，図１３の立体形象物と同じ要領で組立てた立体形象物の第四例の斜視図。
【発明を実施するための形態】
【００１４】  次に、図により本発明ジョイントを用いた組立てブロックおもちゃの例について説明する。まず、図１０は本発明ジョイントを適用する直方体ブロック１０の一例を示した斜視図、図１１は同じく円柱体ブロック２０の一例を示した斜視図である。
【００１５】  図１０の直方体ブロック１０は、図示した例では平面視正方形でその一辺長をＡとすると共に、その高さＨが前記長さＡより少し小さい数値の立方体に近い木製の直方体で形成されている。なお、このブロック１０を一辺長Ａの立方体とすることもできる。
【００１６】  図１１の円柱体ブロック２０は、前記直方体ブロック１０の一辺長Ａと同じ大きさの直径Ａを有する平面視正円形で、高さが前記ブロック１の高さＨと同じ高さＨを有する木製の短円柱体で形成されている。前記短円柱体の高さＨを前記Ａとすることもできる。
【００１７】  上記２種のブロック１０，２０は、本発明ジョイントが適用される基本ブロックを構成しており、この基本ブロック（直方体ブロック１０と円形ブロック２０を基本ブロック１０，２０ということもある。）の上面と下面の中心に溝の交点が位置する十字状の溝３０（以下、十字溝３０という）が形成されている。溝３０の深さＤは各ブロック１０，２０の高さＨの１／２以下である。
【００１８】  図１と図２は、上記基本ブロック１０と２０同士を連結するための本発明基本ジョイント１の平面図と正面図である。
図１、図２の基本ジョイント１は、プラスチック成形体で平面視略長方形の板状に形成されており、本体の大きさが、短辺の長さを前記ブロック１０と２０の一辺長Ａ（直径Ａ）の半分の１／２Ａ、長辺の長さをＡ、厚さｔを、前記十字溝２の幅ｗより僅かに小さい厚さに形成している。そして当該本体の表裏両面には、後述する低いドーム状の凸部１ｃが散在するように設けられて本発明ジョイント１を形成している。また、上記ジョイント１の短辺側には、基本ブロック１０，２０における上下面の十字溝３０の対向する底面が形成する底部４０の厚さ（上下幅）Ｔに略等しい略凹状の凹部１ａ，１ｂが形成されている。なお、凹部１ａ，１ｂは離型のため底側に向かう微小なテーパが付けられている。
【００１９】  図３，図４は、図１，図２の基本ジョイント１の拡張パターン例のジョイントとして、長さを基本ジョイント１より長く形成した第２例のジョイント２の平面図と正面図、図５は、拡張パターンの第３例のジョイント３の斜視図である。図３，図４のジョイント２は、長辺が図１のジョイント１の２倍の長さ２Ａに、図５のジョイント３は長さが４倍の４Ａに形成されているが、両ジョイント２，３とも本体の短辺の長さ１／２Ａと厚さｔは図１のジョイント１と同じである。図３〜図５のジョイント２，３も、その短辺側に凹部２ｃ，２ｂ，同３ａ，３ｂが形成されていると共に、本体の表裏両面に低いドーム状の凸部２ｃ，３ｃが形成されて本発明ジョイント２，３を形成している。
【００２０】  本発明において、前記ジョイント２，３と同趣旨の拡張ジョイントとしては、図示しないが、短辺の長さと厚さが基本ジョイント１と同じであれば、長辺の長さは上記例以外の長さのジョイントもある。
【００２１】  図６は、本発明ジョイントにおける拡張ジョイントの別例である異形ジョイント４を平面図で示したものである。
図６の異形ジョイント４は、本体両側の短辺に前記基本ブロック１０，２０の外周面に現れている底部４０の厚さＴと同じ大きさの左右幅Ｔの凹部４ａ，４ｂを形成している。また、図６の例では基本ジョイント１における両長辺を全体としてテーパ状になる斜辺４ｄに形成し、ジョイント全体として平面視大略台形状に形成している。
【００２２】  上記の基本ブロック１０，２０を連結する本発明ジョイントには、上記に例示したジョイント１〜４以外の拡張ジョイントがある。例えば、図３のジョイント２を中間部で９０度曲げた図７に示すＬ字状ジョイント５、或は、図１のジョイント１を中間部で４５度捻った形態の図７，図８に示す捻りジョイント６のような異形ジョイントである。図７，図８において、図１，図２と同じ部分，部位には同一符号を用いて説明を省略する。なお、９０度曲げたＬ字状ジョイント５と４５度捻りの捻りジョイント６は、ジョイント１〜３のいずれに適用できることは勿論、図示しない板状ジョイントにも適用できる。また、捻り角４５度は一例であって４５度から９０度までの間で任意の角度に捻ったものでもよい。
さらには図示しないが、本発明ジョイント６は、その平面形状を上記の長方形や台形以外の多角形や円形、楕円形、星形等の異形板状のジョイントとすることもできる。
【００２３】  図１〜図８に例示した本発明の各ジョイント１〜６は、すべてその本体の厚さｔが、十字溝３０の幅ｗ（ｗの一例として２．９５ｍｍ、＋０ｍｍ、‐０．０５ｍｍ）よりわずかに小さい厚さ（ｔの一例として２．２ｍｍ）に成形され、同時にその本体の裏表両面に低いドーム状の凸部１ｃ〜４ｃが成形されている（凸部の高さを含みジョイントの有効厚さｔ‘を、一例として３．１ｍｍ、＋０ｍｍ、‐０．０５ｍｍとする）から、基本ブロック１０，２０の上、下両面に設けられた十字溝３０の中の任意の位置の溝に、湿度の多寡によって前記十字溝３０の溝幅ｗに微妙な変化が生じていても、スムースに挿し込むことができる。これにより前記溝３０の壁面とジョイント１〜６の凸部１ｃ〜３ｃが多数の点接触で結合するから、前記ブロック同士１０と２０又はブロック１０同士若しくはブロック２０同士を、湿度によって十字溝３０の溝幅ｗに微妙な変化が生じていても、スムースかつ強固に連結することができる。
また、各ジョイント１〜６は、それぞれの両側の短辺に設けた左右幅Ｔの凹部１ａ，１ｂ〜４ａ，４ｂが、基本ブロック１０と２０の外面に露出した上下幅Ｔの底部４０に嵌合できるから、直方体ブロック１０と円形柱体ブロック２０で様々な形態の立体形象物を造型することが可能になる。
【００２４】  そこで図１２〜図１５により複数個の基本ブロック１０及び２０と本発明ジョイント１〜６を用いて組み立てた立体形象物の具体例について説明する。
図１２は、複数個の基本ブロック１０と２０、及び、複数個のジョイント１とジョイント４によって造型した鶏に見える立体形象物の一例である。
【００２５】  図１３は、複数個の基本ブロック１０と２０、及び、複数個のジョイント１，２，４とにより造型しヘリコプターに見える立体形象物の第二例である。
【００２６】  図１４は、３個の直方体ブロック１０と一個のジョイント２による胴体部分と、２個のジョイント３による主翼部と、３個のジョイント４による尾翼部とにより造型した飛行機に見える立体形象物の第三例である。
【００２７】  図１５は、左右の肩部、腰部、左右脚部に用いた１０個の直方体ブロック１０と、頭部と左右の拳と胴部に用いた４個の円柱体ブロック２０と、前記両ブロック１０と２９を連結するために用いたジョイント１と、左右の腕を形成するジョイント４とにより造型したロボットに見える立体形象物の第四例である。
【００２８】  木製組立ブロックおもちゃ用の本発明ジョイントは以上の通りであって、２種の基本ブロックと少なくとも４種のジョイントによって、様々な形態の立体形象物を造型することができるので、２種の基本ブロックの組合せ結合により従来品にない高い興趣が得られる木製ブロック組立おもちゃのブロック結合用ジョイントとして極めて有用である。
【００２９】  特に本発明では、木製の基本ブロックに設けた連結用の十字溝に嵌合する板状ジョイントをプラスチック製の成形体とすると共に、その厚さを前記十字溝の幅よりわずかに小さくする一方、当該ジョイントの表面に低いドーム状の凸部を設けてその凸部を含む板厚を前記十字溝よりわずかに大きくなるようにしたから、ジョイントと十字溝の結合をジョイント面と溝壁の複数の点接触により確保でき、これによって十字溝の幅が湿度によって微妙に拡縮することがあっても、スムースな嵌合と十分な結合強度を得ることができる。
【符号の説明】
【００３０】１  本発明の基本ジョイント
２，３  基本ジョイント１の整数倍長の板状ジョイント
４  異形ジョイント
５  Ｌ字状ジョイント
６  捻りジョイント
１ａ〜４ｂ  凹部
１ｃ〜４ｃ  低いドーム状凸部
１０，２０  基本ブロック
１０  直方体ブロック
２０  円柱体ブロック
３０  十字溝
４０  十字溝３０の底部
ｔ  ジョイント１〜６の厚さ
ｔ‘ジョイント１〜６の有効厚さ
Ａ  正方形の一辺長又は円の直径
ｗ  十字溝３０の幅
Ｄ  十字溝３０の深さ
Ｔ  上下の十字溝３０の底が形成する底部４０の上下幅
【図１】
2017006605.tif 000003
【図２】
2017006605.tif 000004
【図３】
2017006605.tif 000005
【図４】
2017006605.tif 000006
【図５】
2017006605.tif 000007
【図６】
2017006605.tif 000008
【図７】
2017006605.tif 000009
【図８】
2017006605.tif 000010
【図９】
2017006605.tif 000011
【図１０】
2017006605.tif 000012
【図１１】
2017006605.tif 000013
【図１２】
2017006605.tif 000014
【図１３】
2017006605.tif 000015
【図１４】
2017006605.tif 000016
【図１５】
2017006605.tif 000017